(57)【特許請求の範囲】
【請求項１】
燃焼部と、前記燃焼部からの燃焼ガスが通過する複数の貫通孔を設けた採熱面を有しその採熱した熱を輻射エネルギーとして発生する輻射体と、前記輻射体の背面側に設け燃焼ガスの流通路となる輻射体加熱風路を形成する輻射パネルと、前記輻射体と輻射パネルの側部片側で前記輻射体加熱風路を臨むように配設した光源と、前記輻射体と対向する輻射体加熱風路に配設され前記光源からの光を前記貫通孔を介して輻射体の前面に放射する反射板を備え、前記反射板は光源から離れるにしたがって輻射体側への傾斜を有した構成とし、光源からの光が幅方向で略均一となるように前記貫通孔を介して前面に放射し輻射体のほぼ全体を間接的に発光せしめ、輻射部およびその近傍が高温であること、あるいは高温になることの注意を喚起するようにした暖房装置。
【請求項２】
反射板の傾斜を放物線状に形成し配設した請求項１記載の暖房装置。
【請求項３】
輻射体の貫通孔をスリット状に多数形成し、輻射体内から光源の光をスリット孔を介して前面に放射する構成とした請求項１または２記載の暖房装置。
【請求項４】
輻射体の裏面を光源の反射面とした請求項１〜３のいずれか１項記載の暖房装置。
【請求項５】
反射板表面に凸凹を施した請求項１〜４のいずれか１項記載の暖房装置。
【請求項６】
反射板は光の透過性を有したガラス板からなる請求項５記載の暖房装置。
【請求項７】
光源をＬＥＤとした請求項１〜６のいずれか１項記載の暖房装置。
【請求項８】
光源の光量を周期的に変化させる周期制御部を備えた請求項１〜７のいずれか１項記載の暖房装置。
【請求項９】
光源の光量をガード表面温度に応じて変化させる表面温度表示制御部を備えた請求項１〜７のいずれか１項記載の暖房装置。
【請求項１０】
光源の光量を暖房能力に応じて変化させる暖房能力表示制御部を備えた請求項１〜７のいずれか１項記載の暖房装置。
【請求項１１】
光源から発生する光に着色する着色手段を設けた請求項１〜１０のいずれか１項記載の暖房装置。
【発明の詳細な説明】
【０００１】
【発明の属する技術分野】
本発明は、輻射熱と温風を用いた暖房装置に関するものである。
【０００２】
【従来の技術】
従来、この種の暖房装置は実公昭６３−１１５４８号公報に記載されているようなものが一般的であった。この暖房装置は図１２に示すように、本体下部に設けられたバ−ナ１と、前記バ−ナ１からの燃焼ガスを通過させる中空の薄型箱状熱交換器２と、この熱交換器２の両側に形成された縦長の開口３と、前記熱交換器２の少なくとも前面に塗装された遠赤外線塗料４と、前記熱交換器２に送風して熱交換し温風として本体吐出口より吐出させる対流ファン５からなり、上記熱交換器２は内部を中空にして上記バ−ナ１からの燃焼ガス６が通過するように通路７を設け、熱交換器２の各部に上記燃焼ガス６が行き渡るように通路７の一部に凹形のビ−ド８を設けて開口３から排出する構成となっていた。
【０００３】
そして、バ−ナ１で発生した燃焼ガス６を熱交換器２を通過させて３００℃〜５００℃に加熱することにより遠赤外線塗料４で塗装された熱交換器２の前面より遠赤外線を輻射し輻射暖房を行う、また同時に対流ファン５によって取り入れられた空気熱交換器２の背面に沿って流れ、熱交換器２の開口３から排出された燃焼ガスと混合し温風となって器具より排出し温風暖房として供されていた。
【０００４】
【発明が解決しようとする課題】
しかしながら上記従来の暖房装置では、輻射熱を発生する輻射面の温度が３００〜５００℃と遠赤外線発生領域であることから視覚的な暖房感が少なかったり、視覚的に危険感がないため、誤って手を触れたりして火傷をする危険性があるという課題があった。
【０００５】
【課題を解決するための手段】
本発明は、上記課題を解決するため、燃焼部と、前記燃焼部からの燃焼ガスが通過する複数の貫通孔を設けた採熱面を有しその採熱した熱を輻射エネルギーとして発生する輻射体と、前記輻射体の背面側に設け燃焼ガスの流通路となる輻射体加熱風路を形成する輻射パネルと、前記輻射体と輻射パネルの側部片側で前記輻射体加熱風路を臨むように配設した光源と、前記輻射体と対向する輻射体加熱風路に配設され前記光源からの光を前記貫通孔を介して輻射体の前面に放射する反射板を備え、前記反射板は光源から離れるにしたがって輻射体側への傾斜を有した構成とし、光源からの光が幅方向で略均一となるように前記貫通孔を介して前面に放射し輻射体のほぼ全体を間接的に発光せしめ、輻射部およびその近傍が高温であること、あるいは高温になることの注意を喚起するようにしている。
【０００６】
上記発明によれば、発光しない輻射体であっても、運転時に輻射部が高温になっている時、あるいは高温に至るまでに輻射体近傍片側に配設した光源を点灯し、反射板全体で光源からの光を効率的に反射させるため、輻射部およびその近傍が高温であること、あるいは高温になることを報知することができ、視覚的な暖房感を得ることができるとともに、触手等による不安全行為を防止することができる。
【０００７】
【発明の実施の形態】
本発明の請求項１に記載した暖房装置は、燃焼部と、前記燃焼部からの燃焼ガスが通過する複数の貫通孔を設けた採熱面を有しその採熱した熱を輻射エネルギーとして発生する輻射体と、前記輻射体の背面側に設け燃焼ガスの流通路となる輻射体加熱風路を形成する輻射パネルと、前記輻射体と輻射パネルの側部片側で前記輻射体加熱風路を臨むように配設した光源と、前記輻射体と対向する輻射体加熱風路に配設され前記光源からの光を前記貫通孔を介して輻射体の前面に放射する反射板を備え、前記反射板は光源から離れるにしたがって輻射体側への傾斜を有した構成とし、光源からの光が幅方向で略均一となるように前記貫通孔を介して前面に放射し輻射体のほぼ全体を間接的に発光せしめ、輻射部およびその近傍が高温であること、あるいは高温になることの注意を喚起するように構成してある。
【０００８】
そして、運転時に、輻射部の高温時あるいは高温に至るまでに輻射体部近傍片側に配設した光源を点灯することによって、輻射部およびその近傍が高温であることあるいは高温になることを表示し、視覚的な暖房感を得ることができるとともに触手等による不安全行為を防止することができる。
【０００９】
また、高温となる輻射体の背面には光源を配設していないので、光源の温度低下が図れるとともに、コンパクトな光源で輻射体を広範囲に、かつ間接的に光を照射することができる。
【００１０】
また、請求項２に記載した暖房装置は、反射板が光源から離れるにしたがって輻射体側への傾斜を有し、しかも放物線状に形成した構成とし、反射板全体で均一に光源からの光を効率的に反射し、輻射体のほぼ全体を間接的に効率良く発光せしめ、輻射部およびその近傍が高温であることあるいは高温になることの注意を喚起するように構成してある。
【００１１】
そして、運転時に、輻射部の高温時あるいは高温に至るまでに輻射体部近傍片側に配設した光源を点灯することによって、輻射部およびその近傍が高温であることあるいは高温になることを表示し、視覚的な暖房感を得ることができるとともに触手等による不安全行為を防止することができる。
【００１２】
また、請求項３に記載した暖房装置は、輻射体の貫通孔をスリット状に多数形成し、輻射体内から光源の光をスリット孔を介して前面に放射する構成としてある。
【００１３】
そして、輻射体にスリット孔を設け、輻射体内から光源の光をスリット孔を介して前面に放射するようにしてあるので、輻射面に黒色の遠赤塗料等を施しても光源からの光は吸収されず輻射体の表面状態に関わらず、輻射体内から光源の光を前面に直接放射でき、また輻射体自身から光源の光が放射される形となり、よりいっそう光源の点灯効果が増し、さらに輻射部およびその近傍が高温であること、あるいは高温になることを報知し、視覚的な暖房感を得ることができるとともに、触手等による不安全行為を防止することができる。
【００１４】
また、請求項４に記載した暖房装置は、輻射体の裏面を例えば無塗装とし、光源の反射面とした構成としてある。
【００１５】
そして、光源は輻射体と輻射パネルの側部片面に配設してあるので、光源からの光が反射板で輻射体裏面に反射し、輻射体裏面から傾斜した反射板に反射して再度輻射体側に反射の繰り返しにより、確実に反射板全体から光をスリット孔を介して前面に全体に放射でき、しかも片側の光源であっても全体のバランスが取れやすく、また、光源の光量も増やすことができ、より一層、請求項４の光源の点灯効果を増すことができる。
【００１６】
また、高温となる輻射体の背面には光源を配設していないので、光源の温度低下が図れるとともに、コンパクトな光源で輻射体を広範囲に、かつ間接的に光を照射することができる。
【００１７】
また、請求項５に記載した暖房装置は、反射板表面に凸凹を施した構成としてある。
【００１８】
そして、表面に凸凹を施した反射板を設け、光源からの光を反射板波部に反射させ、輻射体内から光源の光を前面に放射するようにしてあるので、光源からの光が反射板の波形状の斜面で反射して輻射体内から前面に放射され、反射板の波形状の斜面で反射された光源からの光が強く、また光源から直接あるいはその他の部分での反射によって輻射体内から前面に放射された光源からの光は弱くなり、輻射体の前方へ放射される光源の光量に強弱のアクセントが波板の波に対応して規則正しくつき、使用者がより光源の光を認識しやすくなり、よりいっそう請求項１の光源の点灯効果が増すことができるようになる。
【００１９】
また、請求項６に記載した暖房装置は、反射板として光の透過性を有するガラス板を配設した構成としてある。
【００２０】
そして、輻射体と輻射パネル間に光の透過性を有しその表面形状が波板形状や溝切り形状等を有するガラス板を配設してあるので、光源からの光がガラス板を透過する際にガラス板の波板形状や溝切り形状に乱反射して、輻射体内からスリット孔を介して前面に放射するようになり、請求項７と同様に光量の強弱のアクセントの効果が得られ、より一層、請求項４の光源の点灯効果を増すことができる。
【００２１】
また、請求項７に記載した暖房装置は、光源をＬＥＤとした構成としてある。
【００２２】
そして、光源をＬＥＤとしてあるので、一般のフィラメント発熱型のランプに比べフィラメントを予熱せずに点灯可能なため、また、フィラメント発熱型の光源に比べ高温部が少ないために寿命時間が長く、暖房装置のごとく使用時間が長い場合に故障の頻度を少なくすることができるとともに、光源の薄型化が図れ、またその光源自身の発熱も少ないため、該機器への温度上昇も心配することなく輻射体と輻射パネルの側部に光源を配設が容易となる。
【００２３】
また、請求項８に記載した暖房装置は、光源の光量を周期的に変化させる周期制御部を備えた構成としてある。
【００２４】
そして、光源の光量を周期的に変化させる周期制御部を備えてあるので、輻射体内から光源の光をスリット孔を介して前面に放射する光量を変化させることによって、輻射面の明るさを変化させ、明暗の繰り返しにより視覚的に表示が明確になるために、輻射体が加熱された状態が強調され、不安全行為を防止することができる。
【００２５】
また、請求項９に記載した暖房装置は、光源の光量を輻射体表面温度に応じて変化させる表面温度表示制御部を備えた構成としてある。
【００２６】
そして、光源の光量を輻射体表面温度に応じて変化させる表面温度表示制御部を備えてあるので、輻射体表面温度が高い場合は光源の光量を明るく、輻射体表面温度が低い場合は光源の光量を少なくすることによって、輻射体表面温度が表示でき、一目で触手による火傷等の危険性がわかり、不安全行為を防止することができる。
【００２７】
また、請求項１０に記載した暖房装置は、光源の光量を暖房能力に応じて変化させる暖房能力表示制御部を備えた構成としてある。
【００２８】
そして、光源の光量を暖房能力に応じて変化させる暖房能力表示制御部を備えてあるので、暖房能力が高い場合は光源の光量を明るく、暖房能力が低い場合は光源の光量を少なくすることによって、暖房能力が表示でき、一目で暖房能力が確認できるために、操作を容易にすることができる。
【００２９】
また、請求項１１に記載した暖房装置は、光源から発生する光に着色する着色手段を設けた構成としてある。
【００３０】
そして、着色手段によって光源から発生する光に着色し、輻射体内から光源の光をスリット孔を介して前面に放射するようにしてあるので、熱源によって加熱された輻射面から得られる輻射熱によって体感的な暖房効果に加えて、光源から発生する光を暖色に着色することによって、輻射面を視覚的に暖かく表示することが可能となり、視覚的な暖房効果によってより一層の快適な暖房感を得ることができる。
【００３１】
【実施例】
以下、本発明の実施例について図面を用いて説明する。
【００３２】
（実施例１）
図１は本発明の実施例１の暖房装置の断面図で、輻射暖房運転時の構成を示している。図２は要部切欠斜視図、図３は要部平面断面図、図４は制御部ブッロク図である。
【００３３】
図１、図２、図３、図４において、２１は燃料を燃焼させる燃焼部で、この燃焼部２１で生じた燃焼排ガスを上方へ導くように配設した燃焼筒２２で覆われている。
【００３４】
２３は発光せず熱を輻射エネルギーとして発生する輻射体で、この背面に設けた輻射パネル２４との間に輻射体加熱風路２５を形成し、この輻射体加熱風路２５に上記の高温の燃焼排ガスを流して、その熱を輻射体２３の採熱面２６で採熱し、その採熱した熱を輻射エネルギーとして発生するようになっている。また、この輻射体２３には多数の貫通孔２７が配設してあり、この貫通孔２７を介し輻射体加熱風路２５からの高温の燃焼排ガスを輻射体２３の両面に流し、輻射体２３の両面が採熱面２６となるようにしてある。
【００３５】
２８は複数のＬＥＤからなる光源で、輻射体２３と輻射パネル２４の側部片側に配設している。
【００３６】
輻射パネル２４には、反射板２９を設けてあり、かつ反射板２９を光源２８から離れるにしたがって輻射体２３側への傾斜を有し、放物線状とした構成とし、光源２８からの光を反射板２９波部の斜面全体に反射させ、輻射体２３内から光源２８の光をスリット孔２７を介して前面に放射するようになっている。
【００３７】
３０は、高温となる輻射体の表面を使用者が触れないように距離を持って設けた多くのパンチング孔を有する保護ガードである。
【００３８】
３１は輻射パネル２４と機器筐体３２の間に空気流を流し、輻射暖房運転時に機器筐体３２への熱伝導を低減する輻射手段冷却風路で、その流す空気流は室内空気を空気流として供給する送風手段３３より供給され、該機器の上部に配設した輻射手段冷却風路３１の排出口３１Ａより排出されて、部屋の空気の循環流を形成するようにしてある。
【００３９】
３４は制御部で、操作部で設定された運転条件等に基づいて、燃焼部２１や送風手段３３や光源２８を予め決められたシーケンスで制御するようになっている。
【００４０】
上記した構成において、送風手段３３からの空気流が輻射手段冷却風路３１へ流れ、燃焼部２１で生じた燃焼排ガスは、燃焼筒２２の上方へ流れていき、その熱によるドラフトでさらに上方へ流れ、輻射体加熱風路２５へ導かれるようになる。
【００４１】
そして、燃焼部２１で生じた高温の燃焼排ガスで輻射体２３の採熱面２６を加熱し、その採熱面２６で採熱した熱を輻射体２３より輻射エネルギーとして発生し、輻射暖房をすることができるようになる。
【００４２】
また、それと同時に輻射手段冷却風路３１へ流れた空気流が排出口３１Ａより前方上方へ温風として排出され、部屋の空気の循環流を形成するようにしてあるので、室内の空気が循環して部屋全体の空気が混ざり合い、輻射のみの暖房に比べ、部屋全体温度がほぼ均一となり暖房感が向上する。
【００４３】
そして、循環流も該機器の上方に排出するようにしてあるので、該機器の上方に気流感があるだけで、該機器の前方つまり使用者の居住空間には気流感がなく、気流による不快感を使用者が感じることがなくなり暖房感が向上する。
【００４４】
ここで、輻射暖房運転時には、上記輻射体２３に多数のスリット孔２７を設け、燃焼部２１からの高温の燃焼排ガスが輻射体２３の両面を流れるようにして、その輻射体２３の採熱面２６を両面になるようにしてあるので、輻射体２３の採熱面積が倍となりその効率がほぼ倍となり、輻射体２３の温度を高温とすることができるようになり、輻射体２３より輻射エネルギーとして発生する量が大幅に向上する。
【００４５】
そして、上記輻射体２３にスリット孔２７を設け、輻射体２３内から光源２８の光を反射板２９全体で輻射体２３に反射し、スリット孔２７を介して前面に放射するようにしてあるので、輻射体２３自身から光源２８の光が放射される形となり、より光源２８の点灯効果が増し、さらに輻射部およびその近傍が高温であることあるいは高温になることを表示し、視覚的な暖房感を得ることができるとともに触手等により不安全行為を防止することができる。
【００４６】
詳しく説明すると、反射板２９の傾斜形状効果は、輻射体２３と輻射パネル２４の側部片面から光源２８の光を放射したときに、輻射体２３内からスリット孔２７を介して前面に放射される分と直進して前面に放射されない分が生じるが、後者の直進して放射されない分を反射板２９の傾斜形状によって遮り、その分を反射して前面に放射することができるようになり、この傾斜形状の山部分が放物線状の方が光源２８からの受光面が広くなるため多くの光源２８の光を前面に放射でき、光源２８に近い側と同等の左右のバランスの良い光を輻射体２３内からスリット孔２７を介して前面に放射でき、しかも少ない光源で光量が大幅に増大させることが出来るようになる。そして光源２８が１つで構成が簡単で安価に光源の点灯効果が増すことができるようになる。
【００４７】
また、高温となる輻射体２３の背面に光源２８を配設していないので、光源２８の温度低下が図れるとともに、コンパクトな光源２８で輻射体２３を広範囲に光を照射することが出来るようになる。
【００４８】
さらに、上記輻射パネル２４に複数の波形状を有する反射板２９を設け、かつ反射板２９を光源２８から離れるにしたがって輻射体２３側への傾斜を有し、放物線状とした構成として、光源２８からの光を反射板２９波部の斜面に反射させ、輻射体２３内から光源２８の光をスリット孔２７を介して前面に放射するようにしてあるので、反射板２９の波形状の効果と上記傾斜形状の効果が同時に得られる。つまり、輻射体２３の前方へ放射される光源２８の光量に強弱のアクセントが波板の波に対応して規則正しくつき、使用者がより光源２８の光を認識しやすくなるとともに、光源２８からの光が反射板２９の傾斜形状斜面に反射して輻射体２３内からスリット孔２７を介して前面に放射する量が大幅に増大させることが出来るようになり、よりいっそう光源２８の点灯効果が増すことができるようになる。
【００４９】
詳しく説明すると、前者の反射板２９の波形状の効果は、光源２８からの光が反射板２９の波形状の斜面で反射して輻射体２３内からスリット孔２７を介して前面に放射され、反射板２９の波形状の斜面で反射された光源２８からの光が強く、また光源２８から直接あるいはその他の部分での反射によって輻射体２３内からスリット孔２４を介して前面に放射された光源２８からの光は弱くなり、輻射体２３の前方へ放射される光源２８の光量に強弱のアクセントが反射板２９の波に対応して規則正しくつき、使用者がより光源２８の光を明るく感じるようになり認識しやすくなる。
【００５０】
さらに、光源２８をＬＥＤとしてあるので、一般のフィラメント発熱型のランプに比べフィラメントを予熱せずに点灯可能なため、また、フィラメント発熱型の光源に比べ高温部が少ないために寿命時間が長く、暖房装置のごとく使用時間が長い場合に故障の頻度を少なくすることができるとともに、光源の薄型化が図れ、またその光源自身の発熱も少ないため、該機器への温度上昇も心配することなく輻射体２３と輻射パネル２４の側部に光源を配設が容易となる。
【００５１】
（実施例２）
図５は本発明の実施例２の暖房装置の要部切欠斜視図、図６は本発明の実施例２の暖房装置の要部平面断面図である。実施例１と同一部品は同一番号を付与して説明を省略する。
【００５２】
図５、図６において、光源２８は輻射体２３と輻射パネル２４の側部の片側に設け、その光源４１の反対側に、複数の波形状を有する反射板２９を設けてあり、かつ反射板２９を光源２８から離れるにしたがって輻射体２３側への傾斜を有し、放物線状とした構成とし、光源２８からの光を反射板２９波部の斜面全体に反射させ、輻射体２３内から光源２８の光をスリット孔２７を介して前面に放射するようになっている。
【００５３】
輻射体２３には輻射前面に黒色の遠赤塗料等を施しても裏面は光源２８の光を反射しやすくなるように金属光沢面とするなどの手段を施した構成としてある。
【００５４】
上記構成において、上記光源２８は輻射体２３と輻射パネル２４の側部の片側に設け、その光源２８の反対側に光源２８の光を反射する反射板２９を配設してあるので、その光源２８の反対側に届く光源２８の光を傾斜した反射板２９で反射するので、上記反射板２９の波形状全体と輻射体２３裏面との間で乱反射しあうことにより反射板２９全体で輻射体２３に反射することになり、輻射体２３内から光源２８の光をスリット孔２７を介して前面に放射する光源２８のバランスが取れやすく、また、光源２８の光量を増大して光源２８の光を有効に使用でき、光源２８が１つで構成が簡単で安価に実施例１の光源の点灯効果が増すことができるようになる。
【００５５】
（実施例３）
図７は本発明の実施例４の暖房装置の要部切欠斜視図である。実施例１と同一部品は同一番号を付与して説明を省略する。
【００５６】
図７において、輻射体２３と輻射パネル２４間に光の透過性を有しその表面形状が波板形状を有するガラス板４５を配設した構成としてある。
【００５７】
上記した構成において、上記輻射体２３と輻射パネル２４間に光の透過性を有しその表面形状が波板形状を有するガラス板４５を配設してあるので、光源２８からの光がガラス板４５を透過する際にガラス板４５の波板形状に乱反射して、輻射体２３内からスリット孔２７を介して前面に放射するようになり、実施例１と同様に光量の強弱のアクセントの効果が得られ、実施例１の光源の点灯効果が増すことができるようになる。
【００５８】
（実施例４）
図８は本発明の実施例５の暖房装置の制御ブロック図である。実施例１と同一部品は同一番号を付与して説明を省略する。
【００５９】
図８において、光源２８の光量を周期的に変化させる周期制御部４６を備えた構成としてある。
【００６０】
上記した構成において、上記光源２８の光量を周期的に変化させる周期制御部４６を備えてあるので、輻射体２３内から光源の光をスリット孔２７を介して前面に放射する光量を変化させることによって、輻射面２７の明るさを変化させ、明暗の繰り返しにより視覚的に表示が明確になるために、輻射体２３が加熱された状態が強調され、不安全行為を防止でき、またその明暗周期を火炎の揺らぎのようにすることで、輻射面を視覚的に暖かく表示することが可能となり、視覚的な暖房効果によってよりいっそうの快適な暖房感を得ることができる。
【００６１】
（実施例５）
図９は本発明の実施例６の暖房装置の制御ブロック図である。実施例１と同一部品は同一番号を付与して説明を省略する。
【００６２】
図９において、輻射体２３表面温度を計測する表面温度検知手段４７と、その検知した輻射体２３表面温度に応じて光源２８の光量を変化させる表面温度表示制御部４８を備えた構成としてある。
【００６３】
上記した構成において、上記輻射体２３表面温度を計測する表面温度検知手段４７と、その検知した輻射体２３表面温度に応じて光源２８の光量を変化させる表面温度表示制御部４８を備えてあるので、輻射体２３表面温度が高い場合は光源の光量を明るく、輻射体２３表面温度が低い場合は光源２８の光量を少なくすることによって、輻射体２３表面温度が表示でき、一目で触手による火傷等の危険性がわかり、不安全行為を防止することができる。
【００６４】
（実施例６）
図１０は本発明の実施例７の暖房装置の制御ブロック図である。実施例１と同一部品は同一番号を付与して説明を省略する。
【００６５】
図１０において、光源２８の光量を暖房能力に応じて変化させる暖房能力表示制御部４９を備えた構成としてある。
【００６６】
上記した構成において、上記光源２８の光量を暖房能力に応じて変化させる暖房能力表示制御部４９を備えてあるので、該機器の暖房能力が高い場合は光源２８の光量を明るく、暖房能力が低い場合は光源２８の光量を少なくすることによって、暖房能力が表示でき、一目で暖房能力が確認できるために、操作を容易にすることができる。
【００６７】
（実施例７）
図１１は本発明の実施例７の暖房装置の要部切欠斜視図である。実施例１と同一部品は同一番号を付与して説明を省略する。
【００６８】
図１１において、光源２８から発生する光を暖色のオレンジ色に着色する着色手段であるフィルター５０を配設し、輻射体２３内から光源２８の光を暖色のオレンジ色としてスリット孔２７を介して前面に放射する構成としてある。
【００６９】
そして、上記の光源２８から発生する光を暖色のオレンジ色に着色するフィルター５０を配設し、輻射体２３内から光源２８の光を暖色のオレンジ色としてスリット孔２７を介して前面に放射するようにしてあるので、熱源によって加熱された輻射面から得られる輻射熱によって体感的な暖房効果に加えて、光源２８から発生する光を暖色に着色することによって、輻射面を視覚的に暖かく表示することが可能となり、視覚的な暖房効果によってよりいっそうの快適な暖房感を得ることができる。
【００７０】
【発明の効果】
以上説明したように、請求項１に記載した発明によれば、運転時に、輻射部の高温時あるいは高温に至るまでに輻射体部近傍片側に配設した光源のみの点灯によって、輻射部全体およびその近傍が高温であることあるいは高温になることを表示し、視覚的な暖房感を得ることができるとともに１つ光源で構成が簡単で安価に触手等により不安全行為を防止することができる。
【図面の簡単な説明】
【図１】本発明の実施例１の暖房装置の断面図
【図２】同暖房装置の要部切欠斜視図
【図３】同暖房装置の要部平面断面図
【図４】同暖房装置の制御部ブッロク図
【図５】本発明の実施例２における暖房装置の要部切欠斜視図
【図６】本発明の実施例２における暖房装置の要部平面断面図
【図７】本発明の実施例３における暖房装置の要部切欠斜視図
【図８】本発明の実施例４における暖房装置の制御部ブッロク図
【図９】本発明の実施例５における暖房装置の制御部ブッロク図
【図１０】本発明の実施例６における暖房装置の制御部ブッロク図
【図１１】本発明の実施例７における暖房装置の要部切欠斜視図
【図１２】従来の暖房装置の断面図
【符号の説明】
２３  輻射体
２７  スリット孔
２８  光源
２９  反射板
４６  周期制御部
４８  表面温度表示制御部
４９  暖房能力表示制御部
５０  フィルター（着色手段）
【図１】
0003838095.tif 000002
【図２】
0003838095.tif 000003
【図３】
0003838095.tif 000004
【図４】
0003838095.tif 000005
【図５】
0003838095.tif 000006
【図６】
0003838095.tif 000007
【図７】
0003838095.tif 000008
【図８】
0003838095.tif 000009
【図９】
0003838095.tif 000010
【図１０】
0003838095.tif 000011
【図１１】
0003838095.tif 000012
【図１２】
0003838095.tif 000013